(57)【要約】【課題】第一回路板に対して誤った向きに第二回路板が配設された回路部材が装置内に収容されることを抑止可能な構造の非接触ＩＣカード読取装置を提供すること。【解決手段】回路部材１４は第一回路板２０と第一回路板２０の一面上に予め定められた所定の向きで配設される第二回路板２１とを有しており、取付台座１７に取り付けられてハウジング１１，１２内に収容される。取付台座１７には、前記所定の向き以外で第二回路板２１が配設された回路部材１４の取付台座１７への取り付けを阻止するために第一回路板２０に対する第二回路板２１の配設方向を確認する配設方向確認部５９が設けられている。【選択図】図１
2008204386.tif 000002
【特許請求の範囲】
【請求項１】
ＩＣカードとの間で無線通信を行うためのアンテナ部材と、
前記アンテナ部材に接続され、前記アンテナ部材による通信を制御する回路部材と、
前記アンテナ部材及び前記回路部材が取り付けられる中間部材と、
前記中間部材に取り付けられた前記アンテナ部材及び前記回路部材を収容するハウジングとを備え、前記ＩＣカードに記憶された情報を非接触で読み取る非接触式ＩＣカード読取装置において、
前記回路部材は、絶縁基板上に回路が形成された第一回路板と、絶縁基板上に回路が形成されるとともに前記第一回路板の一面上に予め定められた所定の向きで配設される第二回路板とを有し、前記第一回路板の前記第二回路板が配設された一面側を前記中間部材側に向けて前記中間部材にねじにより取り付けられ、
前記中間部材は、前記所定の向き以外で前記第二回路板が配設された回路部材の前記中間部材への取り付けを阻止するために前記第一回路板に対する第二回路板の配設方向を確認する配設方向確認部を有することを特徴とする非接触式ＩＣカード読取装置。
【請求項２】
前記第二回路板の絶縁基板は一の角部に切り欠き部が形成された略矩形状であり、
前記配設方向確認部は、前記所定の向きに前記第二回路板が配設された回路部材に対しては、当該配設方向確認部が前記切り欠き部の位置に配置され、前記第二回路板の絶縁基板とは干渉せずに前記回路部材の前記中間部材への取り付けを許容し、前記所定の向き以外で前記第二回路板が配設された回路部材に対しては、前記配設方向確認部が前記第二回路板の絶縁基板の前記切り欠き部が形成されていない角部と干渉して前記回路部材の前記中間部材への取り付けを阻止するものであることを特徴とする請求項１に記載の非接触式ＩＣカード読取装置。
【請求項３】
前記第二回路板には、前記ＩＣカードとの間の通信信号の処理をする回路が実装されていることを特徴とする請求項１又は請求項２に記載の非接触式ＩＣカード読取装置。
【発明の詳細な説明】
【技術分野】
【０００１】
本願発明は、ＩＣカードに記憶されている情報を非接触で読み取る非接触式ＩＣカード読取装置に関するものである。
【背景技術】
【０００２】
従来、個人の識別情報が記憶されているＩＣカードとの間で非接触による通信（無線通信）を行い、当該ＩＣカードに記憶されている情報を読み取る非接触式ＩＣカード読取装置が知られている（例えば、特許文献１参照）。この種のＩＣカード読取装置は、オフィスビルやマンション等のドア近傍に設けられて、入退室管理等に利用される。
【０００３】
このＩＣカード読取装置は、ＩＣカードとの間で無線通信を行うアンテナ部材とアンテナ部材による通信を制御する回路部材とをハウジング内に収容して構成されている。
【特許文献１】特開２００５−９２６３７号公報
【発明の開示】
【発明が解決しようとする課題】
【０００４】
一般的に回路部材は絶縁基板上に形成された回路板により構成されるが、回路が複雑化すると回路板の面積が大きくなる。そして、回路板の面積が大きくなると、ＩＣカード読取装置が大型化してしまうという問題がある。
【０００５】
ＩＣカード読取装置の大型化を抑制するために、回路部材を二枚の回路板から構成し、一の回路板上に他の回路板を配設することが考えられる。しかしながら、一の回路板に対して他の回路板が誤った向きに配設され、そのような回路部材がＩＣカード読取装置に収容されると不良の装置が発生するおそれがある。
【０００６】
本願発明は、上記問題に鑑みなされたものであり、第一回路板に対して誤った向きに第二回路板が配設された回路部材が装置内に収容されることを抑止可能な構造の非接触ＩＣカード読取装置を提供することを目的とするものである。
【課題を解決するための手段】
【０００７】
以下、上記課題を解決するのに有効な手段等につき説明する。なお以下では、理解を容易にするため、発明の実施の形態において対応する構成例を括弧書きで適宜示すが、この括弧書きで示した具体的構成例に限定されるものではない。
【０００８】
請求項１記載の発明は、ＩＣカードとの間で無線通信を行うためのアンテナ部材（アンテナブロック１５）と、前記アンテナ部材に接続され、前記アンテナ部材による通信を制御する回路部材（回路部材１４）と、前記アンテナ部材及び前記回路部材が取り付けられる中間部材（取付台座１７）と、前記中間部材に取り付けられた前記アンテナ部材及び前記回路部材を収容するハウジング（フロントハウジング１１、リアハウジング１２）とを備え、前記ＩＣカードに記憶された情報を非接触で読み取る非接触式ＩＣカード読取装置（ＩＣカード読取装置１０）に関するものである。そして、前記回路部材は、絶縁基板（絶縁基板２２）上に回路が形成された第一回路板（第一回路板２０）と、絶縁基板（絶縁基板３０）上に回路が形成されるとともに前記第一回路板の一面上に予め定められた所定の向きで配設される第二回路板（第二回路板２１）とを有し、前記第一回路板の前記第二回路板が配設された一面側を前記中間部材側に向けて前記中間部材にねじ（ねじ５８）により取り付けられ、前記中間部材は、前記所定の向き以外で前記第二回路板が配設された回路部材の前記中間部材への取り付けを阻止するために前記第一回路板に対する第二回路板の配設方向を確認する配設方向確認部（配設方向確認部５９）を有することを特徴としている。
【０００９】
配設方向確認部により、第二回路板が所定の向き以外で第一回路板上に配設されている回路部材が中間部材へ取り付けられることが抑制される。この結果、第一回路板に対して第二回路板が誤った向きに配設された回路部材が装置内に収容されることが抑制され、不良の装置の発生を抑制することが可能となる。
【００１０】
なお、所定の向き以外で第二回路板が配設された回路部材の取り付けを阻止するための配設方向確認部の具体的手段としては、請求項２に記載の発明のように、前記第二回路板の絶縁基板を一の角部に切り欠き部（切り欠き部３１）が形成された略矩形状とし、前記所定の向きに前記第二回路板が配設された回路部材に対しては、当該配設方向確認部が前記切り欠き部の位置に配置され、前記第二回路板の絶縁基板とは干渉せずに前記回路部材の前記中間部材への取り付けを許容し、前記所定の向き以外で前記第二回路板が配設された回路部材に対しては、前記配設方向確認部が前記第二回路板の絶縁基板の前記切り欠き部が形成されていない角部と干渉して前記回路部材の前記中間部材への取り付けを阻止するようにすることができる。これにより、簡易な構成で配設方向確認部を形成することが可能となる。
【００１１】
なお、請求項３に記載の発明のように、第一回路板と別体で構成する第二回路板には、前記ＩＣカードとの間の通信信号の処理をする回路を実装することが可能である。これにより、例えば、ＩＣカードの通信規格が変更された場合であっても、第一回路板の回路構成を変更することなく第二回路板の回路構成を変更するのみで通信規格の変更に対応することが可能となる。
【発明の効果】
【００１２】
本発明によると、配設方向確認部により、第二回路板が所定の向き以外で第一回路板上に配設されている回路部材が中間部材へ取り付けられることが抑制される。この結果、第一回路板に対して第二回路板が誤った向きに配設された回路部材が装置内に収容されることが抑制され、不良の装置の発生を抑制することが可能となる。
【発明を実施するための最良の形態】
【００１３】
以下、本発明にかかる非接触式ＩＣカード読取装置を具体化した一実施の形態を図面に基づいて説明する。本発明の非接触式ＩＣカード読取装置はオフィスビルやマンション等の建物における出入口ドア近傍の壁面に備え付けられる。そして、ドア通過希望者が通過を許可された者であるか否かを判別するために、ドア通過希望者が携行しているＩＣカードに記憶された情報を非接触で読み取るものである。
【００１４】
図１は本発明に係る非接触式ＩＣカード読取装置の前方からの分解斜視図、図２は非接触式ＩＣカード読取装置の後方からの分解斜視図、図３は非接触式ＩＣカード読取装置における装置本体部の前方からの斜視図、図４は非接触式ＩＣカード読取装置における装置本体部の後方からの斜視図、図５は非接触式ＩＣカード読取装置における装置本体部の正面図、そして、図６は図１におけるＡ部分の拡大図である。なお、以下では、図１における紙面左下側及び紙面右上側を各構成要素の前面側及び背面側とそれぞれ呼ぶものとする。
【００１５】
非接触式ＩＣカード読取装置１０は、樹脂製のフロントハウジング１１及びリアハウジング１２と、両ハウジング１１，１２に収容される装置本体部１３とを含んで構成されている。
【００１６】
装置本体部１３は、回路部材１４、アンテナブロック１５、ディスプレイブロック１６及びこれらが取り付けられる取付台座１７を含んで構成されている。回路部材１４は第一回路板２０と第二回路板２１とを有している。
【００１７】
第一回路板２０は両面実装型の絶縁基板２２に複数の部品を実装して構成されている。第一回路板２０の絶縁基板２２の前面側にはマイクロコンピュータチップ２３、複数個のＬＥＤ２７及びブザー部品２８等が実装されている。マイクロコンピュータチップ２３はＩＣカード読取装置１０の動作制御を司るものであり、アンテナブロック１５のループアンテナ３５で受けたＩＣカードの情報を、電気錠（図示せず）を施開錠する制御主体である電気錠コントローラ装置（図示せず）に送信する。ＬＥＤ２７は、マイクロコンピュータチップ２３からの指示に基づいて発光し、電気錠コントローラ装置の処理結果等を表示する。ブザー部品２８はマイクロコンピュータチップ２３からの指示に基づいて鳴動する。また、絶縁基板２２の前面側には第二回路板２１を接続実装可能なランドパターンが形成されており、絶縁基板２２上の前面側に第二回路板２１が所定の向きに配設される。
【００１８】
一方絶縁基板２２の背面側には、速結端子群２４及びディップスイッチ２５が実装されている。速結端子群２４は、電気錠コントローラ装置にＩＣカード読取装置１０を有線接続するためのものである。ディップスイッチ２５は、非接触式ＩＣカード読取装置１０の設定を行うためのものである。また、絶縁基板２２には透孔２６が複数形成されている。
【００１９】
第二回路板２１は第一回路板２０を構成している絶縁基板２２よりも小さい略矩形状の絶縁基板３０を有しており、当該絶縁基板３０は矩形状基板の一の角部が落とされて形成された切り欠き部３１を有している。そして、この切り欠き部３１により第二回路板２１の第一回路板２０に対する配設向きを特定することが可能となっている。第二回路板２１上の背面側には、ＩＣカードの通信規格に応じた信号処理を行うＩＣチップ３２がワイヤボンディング実装されている。このＩＣチップ３２を第一回路板２０とは別の第二回路板２１上に実装しているので、ＩＣカードの通信規格が変更された場合であっても、第一回路板２０上の回路構成を変更することなく、第二回路板２１の回路構成を変更するのみで通信規格の変更に対応することが可能となる。ＩＣチップ３２は、アンテナブロック１５が送受する信号の変調と復調との少なくとも一方を行うためのものである。
【００２０】
アンテナブロック１５はＩＣカードとの間で通信を行うためのものである。アンテナブロック１５は、絶縁基板３４の表面にプリントパターン印刷で形成されたループコイル３５と当該絶縁基板３４の裏面に配設した磁性体３６と金属板３７とで一体的に構成されている。アンテナブロック１５は第一回路板２０上のコネクタ経由でマイクロコンピュータチップ２３と通信可能に有線接続されている。そして、アンテナブロック１５で受信したカード情報を、ＩＣチップ３２を用いて読み取る仕様となっている。
【００２１】
ディスプレイブロック１６は、横長の長方形状の絶縁基板４０の前面側に表示部４１が配設されるとともに背面に制御ＩＣ（図示せず）が配設されたユニットデバイスである。絶縁基板４０の４箇所の角部にはそれぞれ透孔４２が形成されている。ディスプレイブロック１６は専用のコネクタ４３を経由して第一回路板２０と接続されている。そして、マイクロコンピュータチップ２３からの指示に従って、表示部４１に電気錠コントローラ装置の処理結果等の表示を行う。
【００２２】
取付台座１７は絶縁性樹脂によって略Ｌ字の板状に形成されており、その前面側にはアンテナブロック１５及びディスプレイブロック１６が取り付けられ、背面側には回路部材１４が取り付けられている。なお、取付台座１７の縦横の長さは第一回路板２０の絶縁基板２２の縦横長さとほぼ同じ長さに形成されている。
【００２３】
ディスプレイブロック１６は、取付台座１７における略Ｌ字状を構成する二辺のうち、横方向に延びる一辺の前面側に取り付けられる。取付台座１７の前面側におけるディスプレイブロック１６の取付位置には凸部４５が形成されており、当該凸部４５はディスプレイブロック１６の絶縁基板４０に形成された４つの透孔４２のうちの３つに対応する位置においてディスプレイブロック１６の位置決めをする。また、絶縁基板４０に形成された透孔４２の残りの１つに対応する位置には雌ねじ孔４６が形成されている。ディスプレイブロック１６は上記凸部４５に３つ透孔４２を挿通して取付台座１７に対する位置決めがされるとともに、残り１つの透孔４２に挿通されたねじ４７を上記雌ねじ孔４６に螺合することにより取付台座１７に固定されている。
【００２４】
アンテナブロック１５は、取付台座１７における略Ｌ字状を構成する二辺のうち、縦方向に延びる一辺の前面側に取り付けられる。アンテナブロック１５の取付位置にはアンテナブロック１５の大きさに対応した略矩形状の載置面部４８が形成されるとともに、当該載置面部４８の周縁の一部からは取付台座１７の前面側に立ち上がるように周壁部４９が形成されている。この周壁部４９によってアンテナブロック１５が載置面部に沿って移動することが規制される。
【００２５】
取付台座１７には、周壁部４９に沿って複数の弾性係止片５０が立設されている。弾性係止片５０はアンテナブロック１５を係止するためのものであり、略矩形状の載置面部４８に立設された周壁部４９における対向する二辺に沿ってそれぞれ二つずつ形成されている。各弾性係止片５０は周壁部４９に沿って起立する弾性片部５１と弾性片部５１の先端において載置面部４８の内側に向けて突出して形成された爪部５２とを有している。弾性片部５１は、その根元部５３を支点として弾性変形可能となっている。すなわち、弾性片部５１は載置面部４８の内外方向に力が作用すると、その力の向きに撓むようになっている。
【００２６】
爪部５２には、その先端部から載置面部４８の内側に向かって傾斜する傾斜面部５４が形成されている。また、爪部５２の載置面部４８側は載置面部４８と平行な狭持面部５５が形成されている。載置面部４８と狭持面部５５との間隔は、アンテナブロック１５の厚さとほぼ同一となっている。アンテナブロック１５の周縁部を傾斜面部５４に当接させた状態でアンテナブロック１５を載置面部４８側に押し付けると載置面部４８の外方向への力が爪部５２に作用する。これにより、爪部５２が載置面部４８の外方向に移動するように弾性片部５１が撓み、アンテナブロック１５を所定の取付位置に配設することが可能となる。アンテナブロック１５が所定の取付位置に配設されると、爪部５２に作用していた載置面部４８の外方向への力が解除され、弾性係止片５０が元状態に復元する。そして、アンテナブロック１５が載置面部４８と挟持面部５５との間で挟持されて取付台座１７に取り付けられるとともに、爪部５２によりアンテナブロック１５が所定の取付位置から外れることが抑止される。
【００２７】
なお、取付台座１７に取り付けられたアンテナブロック１５は、弾性係止片５０を載置面部４８を外方向へ撓ませて爪部５２による係止を解除させることにより、取付台座１７から取り外すことが可能である。
【００２８】
取付台座１７の背面側には第一回路板２０の絶縁基板２２が載置される載置部５６が複数形成されるとともに、第一回路板２０の絶縁基板２２に形成された透孔２６と対応する位置に雌ねじ孔５７が形成されている。回路部材１４は透孔２６に挿通されたねじ５８を上記雌ねじ孔５７に螺合することにより取付台座１７に固定されている。なお、回路部材１４が取付台座１７に固定された状態においては、第二回路板２１は取付台座１７の略Ｌ字状以外の部分に配置される。
【００２９】
取付台座１７には、アンテナブロックの配設位置近傍から第二回路板２１の配設方向に延びる配設方向確認部５９が形成されている。この配設方向確認部５９は、第一回路板２０に対して所定の向き以外で第二回路板２１が配設された回路部材１４の取付台座１７への取り付けを阻止するためのものである。すなわち配設方向確認部５９は、所定の向きに第二回路板２１が配設された回路部材１４に対しては、配設方向確認部５９が第二回路板２１に形成された切り欠き部３１の位置に配置されて第二回路板２１とは干渉せずに回路部材１４が取付台座１７へ取り付けられることを許容する。一方、所定の向き以外で第二回路板２１が配設された回路部材１４に対しては、配設方向確認部５９が第二回路板２１の切り欠き部３１が形成されていない角部と干渉する。これにより、当該回路部材１４については、所定の向き以外で第二回路板２１が配設されていることが確認できるとともに、当該回路部材１４が取付台座１７へ取り付けられることが阻止される。
【００３０】
取付台座１７にはまた、第一回路板２０を構成する絶縁基板２２前面側に実装された複数のＬＥＤ２７から発せられる光をフロントハウジング１１の前面側に導くための複数の導光路６０が形成されている。導光路６０は、各ＬＥＤ２７に対応し位置にそれぞれ筒状に形成されている。そして、ＬＥＤ２７で発せられた光が拡散することを抑制しつつ、フロントハウジング１１の前面側に光を導くものである。
【００３１】
フロントハウジング１１は略矩形箱形状であり、その背面側が開口している。また、リアハウジング１２は略矩形箱形状であり、その前面側が開口している。両ハウジング１１，１２は互いの開口を対向させてフロントハウジング１１でリアハウジング１２を被覆するように組み合わせられる。そして、その結果形成された内部空間に、回路部材１４及びアンテナブロック１５等が取付台座１７に取り付けられて一体となった装置本体部１３が収容される。装置本体部１３が内部空間に収容された状態で、両ハウジング１１，１２がねじにより固定されて一体化される。
【００３２】
フロントハウジング１１の前面側には、ディスプレイブロック１６の表示部４１及び取付台座１７に形成された導光路６０の端部と対向する箇所にそれぞれ開口窓部６１，６２が形成されている。そして、ＩＣカード読取装置１０の前面側から表示部４１の表示及びＬＥＤ２７から発せられた光を認識できるようになっている。また、リアハウジング１２の背面側には、第一回路板２０の絶縁基板２２の背面側に実装された速結端子群２４やディップスイッチ２５と対向する箇所にそれぞれ開口部６３，６４が形成されている。そして、これらの開口部６３，６４からは速結端子群２４やディップスイッチ２５が露出し、非接触ＩＣカード読取装置１０の背面側から速結端子群２４に配線を接続したりディップスイッチ２５の設定をしたりすることが可能となっている。
【００３３】
上述のように構成されたＩＣカード読取装置１０の作動を以下に説明する。
【００３４】
アンテナブロック１５は、マイクロコンピュータチップ２３からの指示に従って周囲へ高速極反転する磁束を放射する。アンテナブロック１５の磁束放射エリアにＩＣカードが入ると、ＩＣカード内部に具備されたループアンテナに上記高速極反転磁束により誘導起電力が発生する。ＩＣカードはこの誘導起電力により自己電源を生成し、内蔵マイコンが内部メモリのＩＤを読み取って、高速反転磁束に載せてアンテナブロック１５へ返信する。これを受けたアンテナブロック１５は、第二回路板２１に受波信号を引き渡し、第二回路板２１が信号を復調して、マイクロコンピュータチップ２３へ転送する。
【００３５】
マイクロコンピュータチップ２３は、第二回路板２１から送信された信号に基づき、ＩＣカードの情報を速結端子群２４経由で電気錠コントローラに送信する。電気錠コントローラはＩＣカードの携行者が通過許可者か否かを判断する。電気錠コントローラによりＩＣカードの携行者が通過許可者であると判断された場合、電気錠コントローラはその判断結果をマイクロコンピュータチップ２３に送信するとともに、電気錠の施錠状態を解除してＩＣカードの携行者の通行を許可する。そして、マイクロコンピュータチップ２３は、ＬＥＤ２７や表示部４１に通過許可の表示を行わせるとともに、ブザー部品２８に通過許可の旨の鳴動を行わせることで、ＩＣカードの携行者に通過許可の連絡を行う。
【００３６】
一方、電気錠コントローラによりＩＣカードの携行者が通過許可者でないと判断された場合、電気錠コントローラはその判断結果をマイクロコンピュータチップ２３に送信するとともに、電気錠の施錠状態を維持する。そしてマイクロコンピュータチップ２３は、ＬＥＤ２７や表示部４１に通過不許可の表示を行わせるとともに、ブザー部品２８に通過不許可の旨の鳴動を行わせることで、ＩＣカードの携行者に通過不許可の連絡を行う。
【００３７】
なお、ここで説明したＩＣカードは電源を非接触式ＩＣカードリーダ装置１０からの磁束供給によって自己生成する、所謂パッシブタグタイプのものとして記載したが、これに限らず、電源を自己搭載した所謂アクティブタグタイプのＩＣカードを使用しても、勿論構わない。
【００３８】
以上詳述した本実施の形態によれば、以下の優れた効果が得られる。
【００３９】
本実施形態では、取付台座１７におけるアンテナブロック１５の配設位置近傍から第二回路板２１の配設方向に延びる配設方向確認部５９を形成した。この配設方向確認部５９により、第一回路板２０に対する第二回路板２１の配設向きが所定の方向か否かを確認することができる。また、所定の向き以外で第二回路板２１が配設された回路部材１４の取付台座１７への取り付けを阻止することが可能となるので、不良品の発生を低減することが可能となる。
【００４０】
本実施形態では、第二回路板２１が取付台座１７における略Ｌ字状以外の部分に配置されるように回路部材１４が取付台座１７に取り付けられている。これにより、回路部材１４を第一回路板２０と第二回路板２１とを重ね合わせて構成することによる装置全体の体格の増大を抑制することが可能となる。
【００４１】
本実施形態では、アンテナブロック１５は取付台座１７に一体的に形成された弾性係止片５０により係止されて取り付けられている。すなわち、本実施形態ではアンテナブロック１５は、ねじ等の他の取付部品を用いることなくアンテナブロック１５を取付台座１７に係止させることにより取り付けられる。この結果、部品点数を抑制しつつ簡易にアンテナブロック１５を取付台座１７に取り付けることが可能となる。また、ＩＣカード読取装置１０の製造工数及び製造時間を短縮することが可能となる。
【００４２】
本実施形態では、取付台座１７の前面側にアンテナブロック１５及びディスプレイブロック１６を取り付け、背面側に回路部材１４を取り付けた。このように、取付台座１７の両面にアンテナブロック１５、ディスプレイブロック１６及び回路部材１４を分散して取り付けることで、コンパクトにこれらを一体化することが可能となる。
【００４３】
本実施形態では、取付台座１７に導光路６０を一体的に形成した。この導光路６０により、第一回路板２０に回路部材１４の処理結果等を表示するＬＥＤ２７が発する光をフロントハウジング１１に形成された開口窓部６２に導くことができるので、ＬＥＤ２７で発せられた光が拡散することを抑制しつつ、フロントハウジング１１の前面側に光を導くことが可能となる。この結果、部品点数の増大を抑止しつつＬＥＤ２７で発した光の拡散を抑止して発光状態の識別性を高めることが可能となる。
【００４４】
なお、本発明は上記実施の形態の記載内容に限定されず、例えば次のように実施しても良い。
【００４５】
上記実施形態では、上記実施形態では、第二回路板２１の絶縁基板３０の一の角部に切り欠き部３１を形成するとともに、取付台座１７に第二回路板２１の配設方向に延びる配設方向確認部５９を形成した。しかし、第二回路板２１の配設方向を確認するための手段は上記に限定されるものではない。例えば、第二回路板２１の絶縁基板３０の一部に凸部を形成するとともに取付台座１７に凹部を形成し、第一回路板２０に対して所定の向きに配設された第二回路板２１については上記凸部と凹部とが適切に組み合わされて回路部材１４の取付台座１７への取り付けが許容され、第一回路板２０に対して所定の向きに配設されていない第二回路板２１については上記凸部が取付台座１７と干渉して取付台座１７への取り付けが阻止されるようにしてもよい。
【００４６】
また、取付台座１７に一体的に形成された弾性係止片５０によりアンテナブロック１５を係止したが、他の係止機構を用いてもよい。すなわち、アンテナブロック１５をねじ等の他の取付部品を用いることなく係止させることが可能な機構であればよい。
【００４７】
上記実施形態では、回路部材１４及びディスプレイブロック１６をねじ４７，５８で取付台座１７に固定したが、アンテナブロック１５と同様に弾性係止片５０で係止して取り付けるようにしてもよい。
【図面の簡単な説明】
【００４８】
【図１】本発明に係る非接触式ＩＣカード読取装置の前方からの分解斜視図。
【図２】本発明に係る非接触式ＩＣカード読取装置の後方からの分解斜視図。
【図３】本発明に係る非接触式ＩＣカード読取装置における装置本体部の前方からの斜視図。
【図４】本発明に係る非接触式ＩＣカード読取装置における装置本体部の後方からの斜視図。
【図５】本発明に係る非接触式ＩＣカード読取装置の装置本体部の正面図。
【図６】図１におけるＡ部分の拡大図。
【符号の説明】
【００４９】
１０…ＩＣカード読取装置、１１…フロントハウジング、１２…リアハウジング、１３…装置本体部、１４…回路部材、１５…アンテナブロック、１６…ディスプレイブロック、１７…取付台座、２０…第一回路板、２１…第二回路板、２７…ＬＥＤ、３１…切り欠き部、５０…弾性係止片、５２…爪部、５９…配設方向確認部、６０…導光路、６２…開口窓部。
【図１】
2008204386.tif 000003
【図２】
2008204386.tif 000004
【図３】
2008204386.tif 000005
【図４】
2008204386.tif 000006
【図５】
2008204386.tif 000007
【図６】
2008204386.tif 000008